(57)【要約】【課題】  頭部に巻付けて着用する頭部巻付け生地の提供。【解決手段】  タオル生地１の正面側縁３にツバ２を着脱出来るように取付けたもので、ツバ２の基部５に沿って連結具６を取付け、連結具６には連続した内部空間７を設けると共に内部空間７へ通じる開口溝を有し、タオル生地１の縁３を内部空間７へ挿入し、開口溝から内部空間７に嵌めた弾性樹脂８によって縁３が外れないように固定している。【選択図】    図３
2012224967.tif 000002
【特許請求の範囲】
【請求項１】
頭部に巻付けて着用する頭部巻付け生地において、該生地の正面側縁に連結手段を介してツバを着脱出来るように取付けたことを特徴とするツバ付き頭部巻付け生地。
【請求項２】
上記連結手段として、ツバの基部に沿って連結具を取付け、連結具には連続した内部空間を設けると共に内部空間へ通じる開口溝を有し、生地の縁を内部空間へ挿入し、開口溝から内部空間に嵌めた弾性樹脂によって縁が外れないように固定した請求項１記載のツバ付き頭部巻付け生地。
【請求項３】
上記連結手段として、ツバの基部に沿って連結具を取付け、連結具には貫通した複数の穴を設け、そして止めバンドから延びるツメを上記穴に嵌めると共に生地の縁を連結具と止めバンドによって挟み込んで固定した請求項１記載のツバ付き頭部巻付け生地。
【請求項４】
上記連結手段として、ツバの基部に沿って連結具を取付け、連結具には面ファスナー（マジックテープ）を設けた請求項１記載のツバ付き頭部巻付け生地。
【請求項５】
頭部に巻付けて着用する頭部巻付け生地において、該生地の正面側縁にツバを縫い付けて取付けたことを特徴とするツバ付き頭部巻付け生地。
【請求項６】
頭部に巻付けて着用することが出来る頭部巻付け生地の縁に着脱可能に取付けるツバにおいて、該ツバの基部に沿って上記頭部巻付け生地の縁を止着することが出来る連結具を取付けたことを特徴とする頭部巻付け生地のツバ。
【発明の詳細な説明】
【技術分野】
【０００１】
本発明は市販のタオルや手拭いなどの織物、編物生地を用いて頭部に巻き付けて着用するツバ付き頭部巻き生地に関するものである。
【背景技術】
【０００２】
近年、土木作業者、建築作業者、ドライバー、飲食店の調理人などは、既存の帽子ではなく、タオルを頭部に巻き付けて作業をする人が多く見られる。その理由は着用する人によって多少異なるであろうが、１つにはツバの付いた帽子に比較してタオルは汗を吸収する機能が優れて何時でも洗うことが出来るために衛生的である点、また頭部に巻き付けることで安定し作業中に位置ズレが生じないといった理由がある。
【０００３】
図５は頭部にタオルを巻き付けて着用した態様を示す具体例である。このタオルは手拭用タオルに比較して大きく、そのサイズは３４×９０と成っている。そして、ファッション性を考慮して表面柄は派手目と成っている。この頭巻きタオルは人それぞれの頭部の大きさに左右されることなく、該タオルの位置を気にすることなく巻き付けて着用することが出来る訳で、頭部から外れ落ちることはなく、激しい作業も行い易い。
【０００４】
そして、タオル生地である為に、発散する汗を吸収し、汚れた場合には手軽に洗濯することも可能である。作業現場であれば水道水で水洗いすることも出来、直ぐに乾く為に再び巻き付けて着用出来る。ところで、上記図５に示すタオルを頭部に巻き付けて作業を行なう様子は近年よく見掛ける為に、違和感を覚えることはないが、一般的な服装で帽子代わりに頭巻きタオルを頭部に巻き付けている場合には、着用する場所によっては多少の変人に見られることが多い。
【０００５】
発散した汗を吸収する機能に優れた帽子に関する技術は色々知られている。例えば、実用新案登録第３１２０９９１号に係る「汗取り、汗止め、汗拭き用の帽子タオルパット」は、スポーツや作業をする時にタオルを必要としないで行うことができ、また汗をかいたら、この帽子のタオルパットで頭からの汗を止めて額の汗は拭うことができる。そこで、帽子の全面と内側とツバの形の汗拭きタオルパットを面ファスナーで取り付ける。前面、内側のタオルパットは、額からの汗止め用、ツバの部分は汗拭き用に利用し、汗を吸収し、使い終えると取り外して新しいタオルパットに取り替えて使用しても良く、洗濯して再利用もできる。
【０００６】
特開２００５−２３２６６２号に係る「タオル生地を利用した汗等の吸水に優れた帽子」は、仕事やスポーツで頭にタオルを巻いているものを、見た目も機能も良くする。そこで、帽子をタオル生地で作る事により、防寒や日差しを防ぐとともに、汗を拭くことが出来る帽子になる。
【０００７】
第３０１３８５９号に係る「帽子の本体と、帽子の つば をジョイナーなどで接合し、帽子の つば を帽子本体の縁添いに自由に動かせるようにした帽子」や特開２００２−１５５４１５号に係る「着脱可能な帽子のつば」なども知られている。
【０００８】
【特許文献１】実用新案登録第３１２０９９１号に係る「汗取り、汗止め、汗拭き用の帽子タオルパット」
【特許文献２】特開２００５−２３２６６２号に係る「タオル生地を利用した汗等の吸水に優れた帽子」
【特許文献３】第３０１３８５９号に係る「帽子の本体と、帽子の つば をジョイナーなどで接合し、帽子の つば を帽子本体の縁添いに自由に動かせるようにした帽子」
【特許文献４】特開２００２−１５５４１５号に係る「着脱可能な帽子のつば」
【発明の開示】
【発明が解決しようとする課題】
【０００９】
このように、タオル生地を使用して構成した帽子及びツバを着脱可能とした帽子に関する文献は色々存在している。しかし、あくまでもその形態は既存の帽子であり、本発明が対象とする形態とは違っている。本発明はあくまでも頭部に巻き付けて着用するタオルやネッカチーフなどの織物や編物生地であり、この生地にツバを取付けた頭部巻付け生地を提供する。
【課題を解決するための手段】
【００１０】
本発明に係る頭部巻付け生地は、タオルやネッカチーフなどの織物、編物生地にツバを取付けたものである。機能上は帽子であるが、既存の帽子のようなキャップ部はなく、キャップ部に代わって生地を有している。生地の種類は特に限定しないことにし、一般的には汗の吸収機能に優れたタオル生地が適している。また、生地の形状及びそのサイズも特に限定はしないことにし、普通は従来の頭巻付け生地と同じく、頭部周長より長い長方形生地が適している。
【００１１】
ところで、本発明の頭巻付け生地にはツバが取付けられ、該ツバは生地の縁に取付けられ、一般には着脱可能と成っている。ただし、ツバを頭部巻付け生地に縫い付けて一体化して構成することもある。ここで、該ツバの形状並びに大きさは自由とし、また材質も限定はしない。上記ツバの着脱方式としては面ファスナー（マジックテープ）を利用したり、またツメやピン等を介して取付けることが出来る。その為にツバの基部に沿って連結具を取付けている。
【発明の効果】
【００１２】
本発明に係るツバ付き頭部巻き生地は頭に巻き付けて着用することが出来る。ツバは付いているが、該ツバは着脱可能である為に、土木作業、建築作業、及び調理作業などに邪魔にならない程度の大きさのツバを取付けることが出来る。勿論、該ツバを取外して従来通りの巻付け生地として頭部に巻き付けて、顔などの汗を拭くことは自由であるが、ツバが無い頭部巻付け生地の場合には作業衣の一部と見られるために一般的な服装としては見映えが悪い。
【００１３】
本発明のようにツバが付いていることで既存の帽子と同じように着用しても何ら違和感がなく、そして該ツバは陽射しの眩しさを防ぎ、目に入る埃を抑制し、雨水の侵入を抑制することが出来ることから、ジョギングや散歩で外出する際にも頭部に巻き付けて着用可能である。
【図面の簡単な説明】
【００１４】
【図１】本発明に係るツバ付き頭部巻き生地を示す実施例。
【図２】ツバ付き頭部巻き生地を着用した場合。
【図３】頭部巻き生地にツバを取付ける連結構造。
【図４】頭部巻き生地にツバを取付ける連結構造。
【図５】従来の頭部巻き生地を着用している場合。
【発明を実施するための形態】
【００１５】
図１は本発明に係るツバ付き頭部巻付け生地を示す実施例である。同図の１はタオル生地、２はツバを表し、該ツバ２は上記タオル生地１の中央部縁３に取付けられている。タオル生地１は頭部に巻付けて着用することが出来、巻付け方法は従来と同じであって、着用することで既存の帽子のように正面にツバ２が位置するようになる。すなわち、ツバ２が正面に配置した状態でタオル生地１が頭部に巻き付けられる。
【００１６】
一方、ツバ２の位置を図１に示すようにタオル生地１の中央部縁３ではなく、一方側に片寄った位置に取付けることも可能であり、このような位置にツバ２を取付けるならば頭部に巻付けて着用した場合のタオル生地１の結び目は頭部の横に配置される為に、着用した姿は個性的でファッション性がある。
【００１７】
図２は頭部に巻付けて着用した状態を示している。ツバ２を有していることで正面からは既存の帽子のように見え、その為にツバ付き頭部巻付け生地を着用してジョギングや散歩などで外出することも可能である。ツバ２があることで他人の目を気にすることなく、また一般的な服装でも違和感がなく、しかも従来の帽子に比較してフリーサイズでより安定する。そして、タオル生地１は発散する汗を素早く吸収することが可能である。
【００１８】
頭部に巻き付けたタオル生地１は外れないようにタオル生地端を留め具４にて固定している。又は該留め具４を使用しないでタオル生地１の先端を結ぶことも出来、その使い方は自由である。ところで、汗を吸収して汚れたタオル生地１は洗濯し易いようにツバ２を取外すことが可能である。すなわち、該ツバ２は着脱可能な取付け構造としている。
【００１９】
図３はツバ２の取付け構造を示す具体例である。
（ａ）はツバ２の基部５に沿って連結具６を取付け、この連結具６の内部空間７にタオル生地１の縁３を挿入し、該縁３が内部空間７から離脱しないように弾性樹脂８を嵌めている。連結具６は連続した内部空間７を有し、内周に沿って該内部空間７に通じる開口溝が形成され、この開口溝からタオル生地１の縁３を挿入し、また開口溝から弾性樹脂８を内部空間７に嵌めている。ここで、弾性樹脂８の具体的な形状は問わないが、一般的には円形断面で細長い紐状の部材である。
【００２０】
（ｂ）は、ツバ２の基部５に沿って連結具９が取付けられ、この連結具９の内部空間１０にタオル生地１の縁３を挿入し、該縁３が内部空間１０から離脱しないように弾性樹脂１１を嵌めている。この連結具９は連続した内部空間１０を有し、上端に沿って該内部空間１０に通じる開口溝が形成され、この開口溝からタオル生地１の縁３を挿入し、また開口溝から弾性樹脂１１を内部空間１０に嵌めている。この弾性樹脂１１は一定厚さを有す帯状部材であって、内部空間１０に嵌った該弾性樹脂１１は圧縮して外れないように止着される。
【００２１】
（ｃ）は、ツバ２の基部５に沿って連結具１２取付けられ、この連結具１２に止めバンド１３を止着してタオル生地１の縁３を挟んでいる。そこで、連結具１２には小さい穴１４，１４・・・が貫通して設けられ、この穴１４，１４・・・に止めバンド１３から延びるツメ１５，１５・・・が嵌って止着されている。従って、ツバ２はタオル生地１から分離しないで取付けられる。
【００２２】
（ｄ）は、上記（ｃ）と共通した連結構造であり、ツバ２の基部５に沿って連結具１２取付けられ、この連結具１２に止めバンド１３を止着してタオル生地１の縁３を挟んでいる。この場合、止めバンド１３は正面側に配置された状態で縁３を挟んでいる。そして、連結具１２には小さい穴１４，１４・・・が貫通して設けられ、この穴１４，１４・・・に止めバンド１３から延びるツメ１５，１５・・・が嵌って止着されている。
【００２３】
図４はツバ２の取付け構造を示す別の実施例を示している。
（ａ）は、ツバ２の基部５に連結具１８を取付け、この連結具１８には面ファスナー１６（マジックテープ）を設け、そして面ファスナー１６を介してタオル生地１の縁３を連結している。その為に、縁３にも互いに接着する別の面ファスナーを設けて互いに固着することも出来るが、パイル状のタオル生地であれば面ファスナー雄が直接絡み合ってツバ２の連結具１８に連結される。
【００２４】
（ｂ）は、ツハ２の基部５の下側に連結具１９を取付け、この連結具１９に面ファスナー１７を設け、タオル生地１の縁３を該面ファスナー１７とツバ基部５との間で挟み込んで連結している。勿論、このタオル生地１の縁３にも互いに接着する面ファスナーを設けることも可能であるが、パイル状のタオル生地であるならば面ファスナーを設けることなく、下側にも面ファスナー１７を設けているツバ基部５と面ファスナー１７を設けた連結具１９との間で挟み込んで連結することが出来る。このように、該面ファスナーを介してツバ２とタオル生地１を互いに連結することが出来、該ツバ２はタオル生地１から独りでに分離することはない。
【００２５】
ただし、タオル生地１が汗で汚れた場合には、ツバ２をタオル生地１から分離することが出来、タオル生地１を洗濯することが可能である。勿論、ツバ２も洗うことは可能であるが、形状並びに材質の硬さが異なる為に互いに分離して洗濯するほうが好ましい。
【符号の説明】
【００２６】
１  タオル生地
２  ツバ
３  縁
４  留め具
５  基部
６  連結具
７  内部空間
８  弾性樹脂
９  連結具
10  内部空間
11  弾性樹脂
12  連結具
13  止めバンド
14  穴
15  ツメ
16  面ファスナー
17  面ファスナー
18  連結具
19  連結具
【図１】
2012224967.tif 000003
【図２】
2012224967.tif 000004
【図３】
2012224967.tif 000005
【図４】
2012224967.tif 000006
【図５】
2012224967.tif 000007